(57)【特許請求の範囲】
【請求項１】
中皿２０の口部に外向きフランジ２３を設け、外向きフランジ２３の内側より上方に筒状突部２１を突設し、中皿２０の外向きフランジ２３と筒状突部２１に嵌着できる内向きフランジ２を設けた環状枠体１を形成し、前記中皿２０の口部と環状枠体１で、メッシュ織物１３の周縁部を固定して、中皿２０の口部にメッシュ織物１３を張設し、メッシュ織物１３の周縁部近くを支承する筒状突部２１の頂面２４の高さを、中皿２０の外向きフランジ２３の上面に、メッシュ織物１３を挟んで嵌合した内向きフランジ２の上面５以上の高さに形成し、中皿２０の口部に張設したメッシュ織物１３の外側より、中皿２０の口部を被覆するフィルム５４を、環状枠体１の内向きフランジ２の上面５に設置し、このフィルム５４が、筒状突部２１の頂面２４上のメッシュ織物１３に、隙間なく接するように形成したパウダーコンパクト。
【発明の詳細な説明】
【０００１】
【発明の属する技術分野】
本発明は、化粧用のパウダーを収容する中皿の口部に、メッシュ織物を張設すると共に、口部をフィルムで被覆したパウダーコンパクトに関する。
【０００２】
【従来の技術】
従来、化粧用のパウダーを収容する容器であるパウダーコンパクトのメッシュ織物付き中皿として、図６に示す中皿２０がある。
【０００３】
前記中皿２０は、環状枠体１に、内向きフランジ２と、下方に垂下する垂下筒状部６を設け、この環状枠体１の内向きフランジ２の上面５にメッシュ織物１３の周縁部を固定して、環状枠体１にメッシュ織物１３を張設している。
【０００４】
そして、前記中皿２０は、化粧用のパウダーを収容した後、中皿２０の口部に、上面部５にメッシュ織物１３を固定した環状枠体１を被嵌して、中皿２０の口部の筒状突部２１の外側に、環状枠体１を嵌着している。
【０００５】
前記環状枠体１に固定されたメッシュ織物１３は、パフにパウダーを付着させるため繰返して、パフで押圧されるので、メッシュ織物１３が内向きフランジ２の上面５から剥離し、メッシュ織物１３の糸条片内に侵入していた接着剤の細片が、前記糸条片から排出され、パウダー等を汚損するものである。
【０００６】
そこで、本件の出願人は、前記欠点を改善する発明である、メッシュ織物の周縁部を、環状枠体の内向きフランジの下面に接着した発明を別途発明した。
そして、さらに、本件発明者は、前記別途発明した、メッシュ織物を固定した内向きフランジの上面に、合成樹脂製のフィルムを設置し、中皿からパウダーが外部に出るのを防ぐ中皿を考えた。
【０００７】
前記考えた中皿は、図７に示すように、中皿２０の口部に外向きフランジ２３を設け、外向きフランジ２３の内側より上方に筒状突部２１を突設し、中皿２０の外向きフランジ２３と筒状突部２１に嵌着できる内向きフランジ２を設けた環状枠体１を形成し、中皿２０の口部と環状枠体１で、メッシュ織物１３の周縁部を固定して、中皿２０の口部にメッシュ織物１３を張設したものである。
【０００８】
そして、中皿２０の口部に張設したメッシュ織物１３の外側より口部を被覆するフィルム５４を、内向きフランジ２の上面５の上に設置したものである。
【０００９】
【発明が解決しようとする課題】
前記図７に示す中皿２０は、中皿２０に設けた筒状突部２１の頂面２４上のメッシュ織物１３と、フィルム５０の間には間隙５５が存在する。
【００１０】
そうすると、中皿２０内からメッシュ織物１３の外部に出たパウダーが、前記筒状突部２１の頂面２４上の間隙５５の部分に溜り、中皿２０の口部を汚損し、醜いものにする。
【００１１】
本発明は、前記事項に鑑みなされたものであり、パウダーコンパクトの中皿の口部に、メッシュ織物を張設し、かつ、フィルムを設置した中皿において、中皿の口部にパウダーが溜らず、口部を見好いものにすることを課題とする。
【００１２】
【課題を解決するための手段】
本発明は、中皿２０の口部に外向きフランジ２３を設け、外向きフランジ２３の内側より上方に筒状突部２１を突設し、中皿２０の外向きフランジ２３と筒状突部２１に嵌着できる内向きフランジ２を設けた環状枠体１を形成し、前記中皿２０の口部と環状枠体１で、メッシュ織物１３の周縁部を固定して、中皿２０の口部にメッシュ織物１３を張設し、メッシュ織物１３の周縁部近くを支承する筒状突部２１の頂面２４の高さを、中皿２０の外向きフランジ２３の上面に、メッシュ織物１３を挟んで嵌合した内向きフランジ２の上面５以上の高さに形成し、中皿２０の口部に張設したメッシュ織物１３の外側より、中皿２０の口部を被覆するフィルム５４を、環状枠体１の内向きフランジ２の上面５に設置し、このフィルム５４が、筒状突部２１の頂面２４上のメッシュ織物１３に、隙間なく接するように形成してパウダーコンパクトとした。
【００１３】
【発明の実施の形態】
以下図に基づいて本発明の実施の形態の説明をする。図１から図５は、本発明の一実施の形態の説明用の図である。
【００１４】
この実施の形態は、図１及び図４に示すように、合成樹脂製の中皿２０は、パウダー収容部を備えた中皿２０の口部に、水平方向に設けた外向きフランジ２３を設け、この外向きフランジ２３の内側より上方に突出する筒状突部２１を突設してあり、この筒状突部２１は、外周面２２と頂面２４が設けてある。
【００１５】
そして、前記中皿２０の外向きフランジ２３の上面の外端部の角部、外向きフランジ２３の上面と筒状突部２１の外周面２２の接する角部、筒状突部２１の外周面２２と頂面２４の接する角部、及び頂面２４の内端部の角部は、いずれも円弧状に形成してあることが好ましい。
【００１６】
そして、前記中皿２０に嵌着できる合成樹脂製の環状枠体１を設けている。この環状枠体１は、中皿２０の外向きフランジ２３と筒状突部２１に嵌着できる水平方向に設けた内向きフランジ２を備えている。
【００１７】
そして、前記環状枠体１は、内向きフランジ２の外端部から垂下する垂下筒状部６を備えている。そして、垂下筒状部６の下端部は、内径が上部より大径となるように傾斜して形成してある。
【００１８】
そして、前記内向きフランジ２の下面３と垂下筒状部６の接する角部、内向きフランジ２の下面３と内周面４の接する角部、及び内向きフランジ２の内周面４と上面５の接する角部は、いずれも円弧状に形成してあることが好ましい。
【００１９】
そして、前記環状枠体１の内向きフランジ２の下面３には、図３に示すように、メッシュ織物１３の周縁部を固定し、メッシュ織物１３の外端部は、下方に折り曲げて、環状枠体１に設けた垂下筒状部６の内側の上部に固定してある。ここで、固定とは、インサート成形による固定のほか、接着剤等による接着や溶着など、固定手段であればいかなる手段でもよい。
【００２０】
そして、メッシュ織物１３の周縁部の内側の周縁部近くは、内向きフランジ２の下面３から上方に円弧状に屈曲して、内向きフランジ２の内周面４の下部（内周面４の高さの略３分の１の高さ）に固定し、内周面４の上部には、メッシュ織物１３の周縁部近くを固定せずに、環状枠体１にメッシュ織物１３を張設してある。
【００２１】
そして、中皿２０の口部に張設したメッシュ織物１３の外側より、中皿２０の口部を被覆するフィルム５４を環状枠体１の内向きフランジ２の上面５に当接させ、接着等の方法により固定してある。
【００２２】
そして、前記環状枠体１に対するメッシュ織物１３の張設は、環状枠体１成形用の金型内に、メッシュ織物１３をインサートして置き、この金型に熔融樹脂を射出して、メッシュ織物１３が固定された環状枠体１を成形している。
【００２３】
そして、前記メッシュ織物１３の周縁部近くは、内向きフランジ２の内周面４の全面に固定しないように形成することも可能である。
そして、前記メッシュ織物１３を張設した環状枠体１の内向きフランジ２を、中皿２０の外向きフランジ２３と筒状突部２１に被嵌し、中皿２０の口部に設けた筒状突部２１で、メッシュ織物１３の周縁部近くを、図２、図４に示すように、上方に押上げて、内向きフランジ２に筒状突部２１を嵌入している。
【００２４】
そして、中皿２０の筒状突部２１の外周面２２と、環状枠体１の内向きフランジ２の内周面４で、メッシュ織物１３の周縁部近くを挟み付けると共に、中皿２０の外向きフランジ２３の上面と、環状枠体１の内向きフランジ２の下面３で、メッシュ織物１３の周縁部を挟み付けて、メッシュ織物１３を固定して、中皿２０の口部にメッシュ織物１３を張設している。
【００２５】
そして、メッシュ織物１３の周縁部近くを支承する筒状突部２１の頂面２４の高さは、外向きフランジ２３の上面に、メッシュ織物１３の周縁部を挟んで被嵌される環状枠体１の内向きフランジ２の上面５以上の高さに形成してある。
【００２６】
さらに、前記中皿２０の外向きフランジ２３と環状枠体１の内向きフランジ２は、メッシュ織物１３の周縁部を挟んで、例えば数箇所をスポット溶接３０で接着するなどの方法によって固定している。
【００２７】
そして、中皿２０の口部に張設したメッシュ織物１３の外側より、中皿２０の口部を被覆するフィルム５４は、合成樹脂製で透明に形成し、周縁部を環状枠体１の内向きフランジ２の上面５に当接させ、剥離可能に接着させて設置してある。  そして、前記フィルム５４の下面が、中皿２０に設けた筒状突部２１の頂面２４上にあるメッシュ織物１３の上面に、隙間なく接するように形成してある。
【００２８】
そして、前記フィルム５４は、やや厚い板体に形成して、内向きフランジ２の上面５に載置して設置するように形成することも可能である。
そして、前記メッシュ織物１３を張設し、フィルム５４で被覆した中皿２０は、図５に示すようにして、パウダーコンパクトに装着してある。
【００２９】
すなわち、合成樹脂製の容器本体３７に、合成樹脂製の環状縁枠３８を取付け、この環状縁枠３８に合成樹脂製の中皿２０を挿入し、中皿２０に嵌着した環状枠体１を、環状縁枠３８に軽く圧入して、中皿２０に嵌着した環状枠体１の垂下筒状部６を、前記環状縁枠３８に止着している。
【００３０】
そして、容器本体３７には、パフ収納皿４５と蓋体４６を、軸４７で開閉可能に軸着し、パフ収納皿４５には、パフ４８を収納できるように形成すると共に、パフ収納皿の下面に、中皿２０の口部に設けたフィルム５４を押さえる押さえ蓋４９が設けてある。
【００３１】
この実施の形態は、メッシュ織物１３の周縁部近くを支承する筒状突部２１の頂面２４の高さを、中皿２０の外向きフランジ２３の上面に、メッシュ織物１３を挟んで嵌合した内向きフランジ２の上面５以上の高さに形成し、中皿２０の口部に張設したメッシュ織物１３の外側より、中皿２０の口部を被覆するフィルム５４が、筒状突部２１の頂面２４上のメッシュ織物１３に、隙間なく接するように形成したものである。
【００３２】
したがって、この実施の形態の中皿２０は、パウダーが、中皿２０の筒状突部２１の頂面２４上のメッシュ織物１３と、フィルム５４の間に溜ることがなく、中皿２０の口部を見好いものとするものである。
【００３３】
そして、メッシュ織物１３が接する環状枠体１の内向きフランジ２の角部、及び中皿２０の外向きフランジ２３と筒状突部２１の角部は、いずれも円弧状に形成されているので、メッシュ織物１３が角部に接して破損するのを防いでいる。
【００３４】
【発明の効果】
本発明は、メッシュ織物１３の周縁部近くを支承する筒状突部２１の頂面２４の高さを、中皿２０の外向きフランジ２３の上面に、メッシュ織物１３を挟んで嵌合した内向きフランジ２の上面以上の高さに形成し、中皿２０を被覆するフィルム５４が、筒状突部２１の頂面２４上のメッシュ織物１３に隙間なく接するように形成したものである。
【００３５】
したがって、本発明はパウダーが、中皿２０の筒状突部２１の頂面２４上のメッシュ織物１３と、フィルム５４の間に溜ることがなく、中皿２０の口部を見好いものとしている。
【図面の簡単な説明】
【図１】本発明の一実施の形態の中皿と、メッシュ織物及びフィルムを設けた環状枠体の縦断面図
【図２】本発明の一実施の形態の中皿に、メッシュ織物及びフィルムを設けた環状枠体を嵌着した縦断面図
【図３】本発明の一実施の形態の環状枠体と、メッシュ織物及びフィルムの要部の縦断面図
【図４】本発明の一実施の形態の中皿に、メッシュ織物及びフィルムを設けた環状枠体を嵌着した要部の縦断面図
【図５】本発明の一実施の形態のパウダーコンパクトの縦断面図
【図６】従来例の中皿に、メッシュ織物を設けた環状枠体を嵌着した縦断面図
【図７】本発明の基礎となった発明の説明用の縦断面図
【符号の説明】
１    環状枠体
２    内向きフランジ
３    下面
４    内周面
５    上面
６    垂下筒状部
１３    メッシュ織物
２０    中皿
２１    筒状突部
２２    外周面
２３    外向きフランジ
２４    頂面
３０    スポット溶接
３７    容器本体
３８    環状縁枠
４５    パフ収納皿
４６    蓋体
４７    軸
４８    パフ
４９    押さえ蓋
５４    フィルム
５５    隙間
【図１】
0003565461.tif 000002
【図２】
0003565461.tif 000003
【図３】
0003565461.tif 000004
【図４】
0003565461.tif 000005
【図５】
0003565461.tif 000006
【図６】
0003565461.tif 000007
【図７】
0003565461.tif 000008